(57)【要約】【課題】動画等の映像データへのアクセス時間を短縮し、速やかな再生処理を可能とする映像録画再生装置とその録画・再生方法とそのプログラム及びプログラムを格納したメモリを提供することを目的とする。【解決手段】ヘッダとボディとフッタとを有するファイル形式により着脱自在な磁気テープに複数の映像を記録する映像録画再生装置において、記録する映像のヘッダとボディとフッタとを書き込むデータ領域と、記録する映像のヘッダを書き込むインデックス領域と、に分離して磁気テープに映像を記録する映像録画再生装置とする。【選択図】図１
2012065087.tif 000002
【特許請求の範囲】
【請求項１】
ヘッダとボディとフッタとを有するファイル形式により着脱自在な磁気テープに映像を記録する映像録画再生装置において、
記録する映像のヘッダとボディとフッタとを書き込むデータ領域と、
記録する映像の前記ヘッダを書き込むインデックス領域と、に分離して前記磁気テープに前記映像を記録する
ことを特徴とする映像録画再生装置。
【請求項２】
請求項１に記載の映像録画再生装置において、
前記ヘッダに関連づけて前記映像のサムネイル画像を前記インデックス領域に記録する
ことを特徴とする映像録画再生装置。
【請求項３】
請求項１または請求項２に記載の映像録画再生装置において、
前記ヘッダに関連づけて前記映像のメタデータファイルを前記インデックス領域に記録する
ことを特徴とする映像録画再生装置。
【請求項４】
請求項１乃至請求項３のいずれか一項に記載の映像録画再生装置において、
前記映像が記録された前記磁気テープが装着された場合に、
前記データ領域にアクセスする前に、前記インデックス領域に記録された前記ヘッダを読み出す
ことを特徴とする映像録画再生装置。
【請求項５】
請求項１乃至請求項４のいずれか一項に記載の映像録画再生装置において、
前記ヘッダを更新する場合に、
前記インデックス領域に記録されたヘッダと、前記データ領域に記録されたヘッダとを共に書き換える
ことを特徴とする映像録画再生装置。
【請求項６】
請求項１乃至請求項５のいずれか一項に記載の映像録画再生装置において、
前記ファイル形式はＭＸＦファイル形式である
ことを特徴とする映像録画再生装置。
【請求項７】
請求項１乃至請求項６のいずれか一項に記載の映像録画再生装置において、
ＬＴＯ（Ｌｉｎｅａｒ  Ｔａｐｅ  Ｏｐｅｎ）方式の前記磁気テープに、ＬＴＦＳ（Ｌｉｎｅａｒ  Ｔａｐｅ  Ｆｉｌｅ  Ｓｙｓｔｅｍ）ファイルシステムを利用して、前記映像を記録する
ことを特徴とする映像録画再生装置。
【請求項８】
請求項１乃至請求項７のいずれか一項に記載の映像録画再生装置を用いた録画方法において、
録画するべき映像を取り込む工程と、
取り込んだ映像をエンコードする工程と、
エンコードされた映像のヘッダとボディとフッタとを前記磁気テープのデータ領域に書き込む工程と、
前記エンコードされた映像の前記ヘッダを前記磁気テープのインデックス領域に書き込む工程とを有する
ことを特徴とする映像録画再生装置の録画方法。
【請求項９】
請求項８に記載の映像録画再生装置の録画方法において、
前記エンコードされた映像のヘッダを前記磁気テープのインデックス領域に書き込む工程において、前記映像に対応するサムネイル画像を前記ヘッダに関連づけて前記インデックス領域に書き込む
ことを特徴とする映像録画再生装置の録画方法。
【請求項１０】
請求項１乃至請求項７のいずれか一項に記載の映像録画再生装置を用いた再生方法において、
前記磁気テープが前記映像録画再生装置に装着された場合に、
前記データ領域にアクセスする前に、前記インデックス領域に記録された前記ヘッダを読み出す工程を有する
ことを特徴とする映像録画再生装置の再生方法。
【請求項１１】
請求項１０に記載された映像録画再生装置の再生方法において、
前記インデックス領域に記録された前記ヘッダを読み出す工程の後、
前記データ領域の前記ヘッダを読み出すことなく、前記ヘッダに対応する前記ボディと前記フッタとを読み出す工程をさらに有する
ことを特徴とする映像録画再生装置の再生方法。
【請求項１２】
請求項１乃至請求項７のいずれか一項に記載の映像録画再生装置と、
前記ヘッダが記録されるとともに前記ボディと前記フッタとが記録されていないインデックス領域と、前記ヘッダと前記ボディと前記フッタとが記録されているデータ領域と、を備える磁気テープと、を備える
ことを特徴とする映像録画再生システム。
【請求項１３】
請求項８乃至請求項１１のいずれか一項に記載の方法を
前記映像録画再生装置に遂行させるためのプログラム。
【請求項１４】
請求項１３に記載のプログラムを格納したメモリ。
【発明の詳細な説明】
【技術分野】
【０００１】
本発明は、シーク時間を短縮可能な映像録画再生装置とその録画・再生方法とそのプログラム及びプログラムを格納したメモリとに関する。
【背景技術】
【０００２】
下記特許文献１には、複数のシーンの動画像データと前記複数のシーンの動画像データの代表画像を示す代表画像データについて、一つのシーンの前記動画像データに引き続いて前記動画像データの代表画像データが記録された記録媒体から、二つの連続した前記シーンのうち、一方のシーンの前記代表画像データを再生すると共に、他方のシーンの前記動画像データの先頭画面のデータを選択して再生し、前記一方のシーンの代表画像データに基づいて前記一方のシーンの代表画像を生成すると共に、前記他方のシーンの動画像データの先頭画面のデータを用いて前記他方のシーンの代表画像を生成することが記載されている。
【０００３】
またこれにより、一つの代表画像を再生する度に、次の代表画像の記録位置までピックアップをシークさせる動作を半減できるようにする技術思想が開示されている。
【０００４】
またこの技術により、マルチインデックス表示に必要な画像データが、記録媒体上の所定範囲に複数存在する場合に、複数の画像データを含む前記所定範囲を連続エリアとして再生し、再生したデータをそれぞれデコードして表示するようにしたことにより、ディスクアクセス回数と、ディスクドライブのシーク回数を減らすことができ、ディスクアクセスのオーバーヘッドを削減することができるとともに、マルチインデックス表示画面を生成するために必要な時間を短縮することが可能になることが記載されている。
【先行技術文献】
【特許文献】
【０００５】
【特許文献１】特開２００９−１８８６６７号公報
【発明の概要】
【発明が解決しようとする課題】
【０００６】
しかし、上述の文献に開示されているのは、ＤＶＤなどのディスク記録媒体に対する光ピックアップを前提とする技術思想であって、磁気テープを記録媒体とする映像録画再生装置に関する技術思想ではない。
【０００７】
磁気テープに記録された映像を再生する場合には、再生対象となる映像が記録される物理的な磁気テープ上の領域にまで、磁気テープを巻いてシークする動作処理が必須となる。磁気テープを巻くための動作時間は、特にテープ長が比較的長い大容量の磁気テープにおいては顕著となり、大凡３分程度以上のシーク時間を要する場合もある。このため、磁気テープを映像録画再生装置に装着してから現実に再生を開始するまでに相当の待ち時間が生じてしまうこととなり、迅速かつ適切な動画等再生の障害となることが懸念される。
【０００８】
本発明はこのような問題点に鑑みなされたものであり、動画等の映像データへのアクセス時間を短縮し、速やかな再生処理を可能とする映像録画再生装置とその録画・再生方法とそのプログラム及びプログラムを格納したメモリを提供することを目的とする。
【課題を解決するための手段】
【０００９】
本発明の映像録画再生装置は、ヘッダとボディとフッタとを有するファイル形式により着脱自在な磁気テープに映像を記録する映像録画再生装置において、記録する映像のヘッダとボディとフッタとを書き込むデータ領域と、記録する映像のヘッダを書き込むインデックス領域と、に分離して磁気テープに映像を記録することを特徴とする。
【００１０】
また、本発明の映像録画再生装置は好ましくは、ヘッダに関連づけて映像のサムネイル画像をインデックス領域に記録することを特徴とする。
【００１１】
また、本発明の映像録画再生装置はさらに好ましくは、映像が記録された磁気テープが装着された場合に、データ領域にアクセスする前に、インデックス領域に記録されたヘッダを読み出すことを特徴とする。
【００１２】
また、本発明の映像録画再生装置はさらに好ましくは、ヘッダを更新する場合に、インデックス領域に記録されたヘッダと、データ領域に記録されたヘッダとを共に書き換えることを特徴とする。
【００１３】
また、本発明の映像録画再生装置はさらに好ましくは、ファイル形式はＭＸＦファイル形式であることを特徴とする。
【００１４】
また、本発明の映像録画再生装置は好ましくは、ＬＴＯ（Ｌｉｎｅａｒ  Ｔａｐｅ  Ｏｐｅｎ）方式の磁気テープに、ＬＴＦＳ（Ｌｉｎｅａｒ  Ｔａｐｅ  Ｆｉｌｅ  Ｓｙｓｔｅｍ）ファイルシステムを利用して、映像を記録することを特徴とする。
【００１５】
また、本発明の映像録画再生装置の録画方法は、上述のいずれかに記載の映像録画再生装置の録画方法において、録画するべき映像を取り込む工程と、取り込んだ映像をエンコードする工程と、エンコードされた映像のヘッダとボディとフッタとを磁気テープのデータ領域に書き込む工程と、エンコードされた映像のヘッダを磁気テープのインデックス領域に書き込む工程とを有することを特徴とする。
【００１６】
また、本発明の映像録画再生装置の録画方法は好ましくは、エンコードされた映像のヘッダを磁気テープのインデックス領域に書き込む工程において、映像に対応するサムネイル画像をヘッダに関連付けてインデックス領域に書き込むことを特徴とする。
【００１７】
また、本発明の映像録画再生装置の再生方法は、上述のいずれかに記載の映像録画再生装置の再生方法において、磁気テープが映像録画再生装置に装着された場合に、データ領域にアクセスする前に、インデックス領域に記録されたヘッダを読み出す工程を有することを特徴とする。
【００１８】
また、本発明の映像録画再生装置の再生方法は好ましくは、インデックス領域に記録されたヘッダを読み出す工程の後、データ領域のヘッダを読み出すことなく、ボディとフッタとを読み出す工程をさらに有することを特徴とする。
【００１９】
また、本発明の映像録画再生システムは、上述のいずれかに記載の映像録画再生装置と、ヘッダが記録されるとともにボディとフッタとが記録されていないインデックス領域と、ヘッダとボディとフッタとが記録されているデータ領域と、を備える磁気テープと、を備えることを特徴とする。
【００２０】
また、本発明のプログラムは、上述のいずれかに記載の方法を映像録画再生装置に遂行させるためのプログラムである。
【００２１】
また、本発明のメモリは、上述のプログラムを格納したメモリである。
【００２２】
また、本発明の映像録画再生装置は、さらに好ましくはヘッダに関連づけて映像のメタデータファイルを前記インデックス領域に記録することを特徴とする。ここで、メタデータとは、映像の内容を説明する文字情報であって、例えばオペレータが録画開始前に予め入力しておくことができるデータである。映像録画再生装置は、サムネイル画像と同様にメタデータファイルを先に読みだして、オペレータ等へ映像を説明する文字情報を提供することが可能となる。また、映像を説明する文字情報が予め入力されていない場合には、ファイル枠組み（メタデータフレーム）のみをインデックス領域に記録する映像録画再生装置としてもよい。
【発明の効果】
【００２３】
動画等の映像データへのアクセス時間を短縮し、速やかな再生処理を可能とする映像録画再生装置とその録画・再生方法とそのプログラム及びプログラムを格納したメモリを提供できる。
【図面の簡単な説明】
【００２４】
【図１】本実施形態の映像録画再生装置の概要を説明するブロック図である。
【図２】（ａ）は、ＭＸＦファイル規格で構成されたファイル構造を概念的に説明する図であり、（ｂ）は、ＬＴＦＳファイルシステムを利用してＬＴＯ磁気テープに映像を記録する場合の記録領域を説明する概念図であり、（ｃ）は、磁気テープのデータ領域に書き込まれるファイルの記録状態についての一態様を説明する図である。
【図３】（ａ）はリアルタイム録画においてヘッダ１の更新処理をされたデータ領域を説明する概念図であり、（ｂ）は後発的に生じたヘッダ１の更新処理をされたデータ領域を説明する概念図である。
【図４】本実施形態の映像録画再生装置を用いて映像を記録された磁気テープの記録状態を概念的に説明する図である。
【図５】映像録画再生装置が入力された映像をリアルタイム録画する場合の動作及び処理を概念的に説明するフロー図である。
【図６】映像録画再生装置が、磁気テープの映像を再生する場合の動作及び処理を概念的に説明するフロー図である。
【発明を実施するための形態】
【００２５】
本実施形態で説明する映像録画再生装置は、ＬＴＯ（Ｌｉｎｅａｒ  Ｔａｐｅ  Ｏｐｅｎ）の磁気テープを記録媒体として、ＬＴＦＳ（Ｌｉｎｅａｒ  Ｔａｐｅ  Ｆｉｌｅ  Ｓｙｓｔｅｍ）ファイルシステムを利用してＭＸＦ（Ｍａｔｅｒｉａｌ  Ｅｘｃｈａｎｇｅ  Ｆｏｒｍａｔ）ファイルを記録する。
【００２６】
この映像録画再生装置は、追記型メディアであるので、例えば動画映像のリアルタイム録画をする場合やヘッダを後発的に更新する場合等に、ある一つの映像のデータについてヘッダ、ボディ、フッタの順で順次連続した磁気テープ上の記録領域に記録できず記録領域が離散する場合が生じる。
【００２７】
このため、いわゆるランダムアクセスが不可能である磁気テープから映像を読み出す場合には、当該映像のデータであるヘッダとボディとフッタとを順次読み出すように、互いに離間したテープ領域に順次読み取りヘッドを位置合わせする必要が生じる。
【００２８】
すなわちこの場合には、ＬＴＯを典型例とする磁気テープにおいて、早送りや巻き戻し等のシーク時間が生じるので、待ち時間が発生して遅滞ない再生処理が妨げられる。ＬＴＯの磁気テープは、データ最後尾に順次追記型のメディアであって、いわゆるランダムアクセスを許容するメディアとは異なる。
【００２９】
本実施形態で説明する映像録画再生装置においては、磁気テープのインデックス領域に、各映像のすべてのヘッダのコピーを別途記録する。またこの映像録画再生装置は、磁気テープのデータ領域に各映像のヘッダ、ボディ、フッタを記録する。
【００３０】
映像録画再生装置は、再生時のシーク処理にかかる待ち時間を低減するために、磁気テープが装着された場合に、磁気テープのデータ領域にアクセスする前に、インデックス領域のヘッダを先に全て読み出す。
【００３１】
この動作・処理により映像録画再生装置は、装着された磁気テープに記録された映像の属性や形式や素材長やディレクトリ構造や解像度等の情報を予め取得することができ、さらにはこれらの情報をメニュー画面等に表示することもできる。
【００３２】
さらに予めヘッダは読み込み済みであるので、映像録画再生装置が映像データを再生する場合には、当該映像のボディが記録されるデータ領域へシークするのみでよく、ヘッダ読み込みのためのシークが不要となる。これにより、シーク待ち時間が短縮されて迅速な再生読み込み処理が可能な映像録画再生装置となる。
【００３３】
図１は、本実施形態の映像録画再生装置１０００の概要を説明するブロック図である。図１においては、本発明の機能及び動作・処理を説明するために関連する箇所のみを示した。
【００３４】
図１から理解できるように、映像録画再生装置１０００は、ＣＰＵバスに接続されたマイクロプロセッサ１０と、第一キャッシュメモリ２０と、第二キャッシュメモリ３０と、ＬＴＯドライブ４０と、ＶＧＡディスプレイ６０と、ビデオＩ／Ｏ７０とを備える。
【００３５】
マイクロプロセッサ１０は、予め第二キャッシュメモリ３０等にロードされた制御プログラムに基づいて、映像録画再生装置１０００の後述する動作及び処理を全て制御し、各部位の動作処理を指令する。制御プログラムは、例えば第一キャッシュメモリ２０に記録しておいてもよい。
【００３６】
ＬＴＯドライブ４０のスロットには、記録媒体となる磁気テープ５０が装着される。また、ビデオＩ／Ｏ７０は不図示のエンコーダとデコーダとを備え、入力されるＶｉｄｅｏ／Ａｕｄｉｏ信号を変換し、または出力されるＶｉｄｅｏ／Ａｕｄｉｏ信号へと変換する。
【００３７】
ビデオＩ／Ｏ７０でエンコードされた映像は、第一キャッシュメモリ２０に一時記憶される。そして、当該映像は、第一キャッシュメモリ２０から読みだされて第二キャッシュメモリ３０に一時記録される。
【００３８】
映像のリアルタイム録画を遂行する場合には、ビデオＩ／Ｏ７０におけるエンコード処理と並行して、第一キャッシュメモリ２０と第二キャッシュメモリ３０とを介した映像データが、ＬＴＯドライブ４０により磁気テープ５０に書き込まれる。
【００３９】
第二キャッシュメモリ２０は例えば２ＴＢ（テラバイト）程度であって、磁気テープ５０より大きな記憶容量を有することが好ましい。これにより、例えば磁気テープ５０の記憶容量が１．５ＴＢ（テラバイト）程度である場合には、磁気テープ５０に記録されるすべてのデータを、他の磁気テープが装着されるまでの間、第二キャッシュメモリ３０にバックアップ保存しておくことも可能である。第二キャッシュメモリ３０は、例えばハードディスクで構成してもよい。
【００４０】
また、第二キャッシュメモリ３０にバックアップ保存したデータと磁気テープ５０に記録されているデータとを比較して、記録処理の品質管理や検証を遂行することもできる。
【００４１】
また、映像録画再生装置１０００は、磁気テープ５０が装着された時点または電源が投入された時点で、磁気テープ５０のインデックス領域に記録されている全てのヘッダを読み出す。
【００４２】
インデックス領域には映像の実データとなるボディは記録されていないので、インデックス領域は比較的小さな記録容量で済み、記録に要する磁気テープ５０の長さや領域も比較的少ない。このため、インデックス領域のヘッダを全て読みだすのに要する時間も、例えば磁気テープ５０を端からは端まで巻き戻したりシークしたりするのに要する時間に比較すれば、相当に少なくて済むこととなる。
【００４３】
ＶＧＡディスプレイ６０は、読みだしたヘッダの映像管理情報や属性、または／および操作画面や制御情報を表示することができる。ＶＧＡディスプレイ６０は、オペレータの操作を入力されるようにタッチパネル等で構成してもよい。
【００４４】
再生するべき映像の指示がオペレータ等から入力されると、映像録画再生装置１０００は、当該映像のボディとフッタとを読み出すために磁気テープ５０のデータ領域へとシークする。
【００４５】
これにより、映像ファイルを読みだすのに必要となるシーク動作がボディのみへと低減されることとなり、再生処理に関わるシーク待ち時間が短縮できる。
【００４６】
図２（ａ）は、ＭＸＦファイル規格で構成されたファイル構造を概念的に説明する図であり、図２（ｂ）は、ＬＴＦＳファイルシステムを利用してＬＴＯ磁気テープに映像を記録する場合の記録領域を説明する概念図であり、図２（ｃ）は、磁気テープのデータ領域に書き込まれるファイルの記録状態についての一態様を説明する図である。
【００４７】
図２（ａ）に示すように、ビデオ映像のＭＸＦファイル規格においては、各映像ごとに、そのディレクトリ構造や解像度やファイル形式やファイル属性や素材長やファイルポインタや圧縮形式等の宣言情報を有するヘッダ２１００と、映像（音声含む）情報を有するボディ２２００と、映像の終端に付加されるフッタ２３００と、を有するファイルとして記録される。
【００４８】
ＭＸＦファイル規格は、ＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ）が定めた規格であって、ＬＴＦＳを利用することで、より汎用性の高い磁気テープ記録媒体等を実現できる。
【００４９】
ここで、ＬＴＦＳについて簡単に説明する。一般にテープメディアを用いたバックアップは、ディスクバックアップよりも安価で耐久性が高いことが知られている。また、テープメディアは改変を防止するＷＯＲＭ（Ｗｒｉｔｅ  Ｏｎｃｅ  Ｒｅａｄ  Ｍａｎｙ）機能をハードウェアレベルで実現できる。さらにテープメディアは、使用をしない場合には無駄な電力を殆ど消費しないので、ディスクメディアに比べて低消費電力といえる。
【００５０】
またＬＴＦＳは、例えばＬＴＯ−５に対応したパーティショニング機能により、上述したようにテープをインデックス領域とデータ領域とに分割する。また、インデックス領域には、データ領域内の実データを扱えるようにするための、ファイル名とデータサイズと保存場所等のユーザ情報を含めたユーティリティが記録される。
【００５１】
ＬＴＦＳによりオペレータは、例えばパソコンＯＳ等から直接テープドライブ内のデータを参照できるようになる。また、ハードディスク内のファイルやＵＳＢメモリ内のファイルを扱う場合と同様に、ダブルクリックで実行したり、ドラッグアンドドロップでコピーしたりするように構成可能である。また、テープ内のコンテンツを追加的なバックアップメィアでディスクに展開する必要がなく、テープ内のデータを直接扱うことも可能となる。
【００５２】
また図２（ｂ）に説明するようにＬＴＯ磁気テープにおいては、インデックス領域３４００とデータ領域３５００とに、物理的に記録領域が分離される。そして、ヘッダ２１００と、映像情報それ自体を含むボディ２２００と、フッタ２３００と、はデータ領域３５００に記録されることとなる。
【００５３】
また、図２（ｃ）に示すように、データ領域３５００にファイル１とファイル２等の複数の映像ファイルが記録される場合に、ファイル１のヘッダ１（２１００（１））とボディ１（２２００（１））とフッタ１（２３００（１））とがデータ領域３５００上の連続した領域に順次記録されており、続いてファイル２のヘッダ２（２１００（２））とボディ２（２２００（２））とフッタ２（２３００（２））とがデータ領域３５００上の連続した領域に順次記録する。
【００５４】
これにより、例えばファイル１を読み出す場合にはヘッダ１（２１００（１））、ボディ１（２２００（１））、フッタ１（２３００（１））と順次読み出すことが可能であるので、読み取りヘッドがヘッダ１にシークした後に追加的なシーク時間が生じることがなく、比較的スムースに読み出すことが可能である。
【００５５】
同様に、例えばファイル２を読み出す場合にはヘッダ２（２１００（２））、ボディ２（２２００（２））、フッタ２（２３００（２））と順次読み出すことが可能であるので、読み取りヘッドがヘッダ２（２２００（２））にシークした後に追加的なシーク時間が生じることがなく、比較的スムースに読み出すことが可能である。
【００５６】
但し、図２（ｃ）のような記録状態となるのは、エンコードした映像を一旦他のメモリ媒体に全て一時記録した後に、そのメモリ媒体のデータを磁気テープ５０にコピーする場合である。一方、例えば入力される映像をリアルタイム録画する場合には、エンコード処理とともに、エンコードされた映像データの一部分から順次磁気テープ５０に同時進行で記録していくこととなる。この場合には、図２（ｃ）のような記録状態とはならない。
【００５７】
また、図３（ａ）はリアルタイム録画においてヘッダ１の更新処理をされたデータ領域を説明する概念図であり、図３（ｂ）は後発的に生じたヘッダ１の更新処理をされたデータ領域を説明する概念図である。図３（ｂ）は、例えばヘッダ１に含まれるメタデータを更新する場合に生じ得る態様である。
【００５８】
リアルタイム録画においては、再生に要する時間を示す素材長を典型例とする一部のヘッダ情報は、映像のエンコード処理が全て完了した時点で与えられる。このため、図３（ａ）に示すように、磁気テープ５０への記録開始当初に記録したヘッダ１（２１００（０））には素材長情報が含まれていないダミーであって、エンコード処理が全て完了した時点で改めて素材長情報が含まれるヘッダに更新する必要が生じる。
【００５９】
また、データ領域３５００においてヘッダが更新される場合には、更新されるべき当初のヘッダ１（２１００（０））は消去されずにマスクがされて、すでに記録されたデータの最後尾であるフッタ１（２３００（１））の後ろに、新たに素材長の情報が付与されたヘッダ１（２１００（１））を追記することとなる。
【００６０】
ここで、ＬＴＯの磁気テープ５０には、テープ幅内に例えば１６トラック×８０スキャン（４０往復）分＝１２８０トラックが設けられ、Ｒｅａｄ用ヘッド（読み取りヘッド）とＷｒｉｔｅ用ヘッド（書き込みヘッド）とを用いて、読み出し処理／書き込み処理が為される。
【００６１】
このため、実施形態における磁気テープ５０上の連続した領域や最後尾の領域等の説明については、一定のスキャン形式下での読み出し動作時におけるヘッドを基準とした磁気テープ５０上の領域を意味するものとする。
【００６２】
図３（ａ）に示す記録状態のファイル１の映像を読み出す場合には、まずヘッダ１（２１００（１））に読み取りヘッドをシークさせてヘッダ１（２１００（１））の読み出し処理をした後、ボディ１（２２００（１））の先頭にまで読み取りヘッドをシークさせる必要がある。すなわち、一つのファイル１の読み出しについて、ヘッダ１（２１００（１））へのシーク時間とボディ１（２２００（１））へのシーク時間とが別個に生じることとなるので、ファイル１の再生に要するシーク待ち時間が比較的長くなる。
【００６３】
例えば、ヘッダ１（２１００（１））が磁気テープ５０のデータ領域３５００の終端領域に記録されており、ボディ１（２２００（１））が磁気テープ５０のデータ領域３５００の開始端領域に記録されている場合には、ファイル１を再生開始後、ヘッダ１（２１００（１））を読みだした後、ヘッダ１（２１００（１））の終端からボディ１（２２００（１））の先頭へと、磁気テープを実質的に端から端までシークするシーク待ち時間が生じることとなる。
【００６４】
また、図３（ｂ）に示すように、ファイル１とファイル２等の複数のファイルを磁気テープ５０に記録した後、後発的にファイル１のヘッダ１（２１００（０））を更新する必要が生じた場合には、新たなヘッダ１（２１００（１））は磁気テープ５０のデータが書き込まれた最後尾領域、例えばファイル２のフッタ２（２３００（２））の後ろに追記され、当初のヘッダ１（２１００（０））にはマスクがされることとなる。
【００６５】
従って、図３（ｂ）に示す記録状態のファイル１の映像を読み出す場合には、まずヘッダ１（２１００（１））に読み取りヘッドをシークさせて読み出し処理をした後、ボディ１（２２００（１））の先頭にまでファイル２を飛び越して読み取りヘッドをシークさせる必要がある。すなわちこの場合にも、一つのファイル１の読み出しについて、ヘッダ１（２１００（１））へのシーク時間と、ファイル２を飛び越してボディ１（２２００（１））へのシーク時間とが別個に生じることとなるので、ファイル１の再生に要するシーク待ち時間が比較的長くなる。
【００６６】
磁気テープ５０のデータ領域３５００には例えば５０時間のフルＨＤ動画が記録できるように、磁気テープ５０が１．５ＴＢ（テラバイト）程度の記録容量を要する場合もある。このため、磁気テープ５０も相当長く、テープ端から他のテープ端までのシークには３分以上を要する場合も生じる。図３（ｂ）に示す記録状態において、仮にファイル２の映像が数十時間程度の長時間の動画であった場合には、ファイル１を再生するためのシーク待ち時間は数分程度以上になるものと懸念される。
【００６７】
また、図３に示す記録状態のデータ領域３５００となることは、ＭＸＦファイル規格に則ってＬＴＦＳファイルシステムを利用してＬＴＯ磁気テープ５０に記録する上で避けがたい。そこで、本実施形態においては、ファイル１とファイル２等のデータ領域３５００に記録されるすべてのファイルのヘッダ情報を、録画時に磁気テープ５０のインデックス領域３４００に追加的に記録する。
【００６８】
図４は、本実施形態の映像録画再生装置１０００を用いて映像を記録された磁気テープ５０の記録状態を概念的に説明する図である。図４において、データ領域３５００（２）については、図３で既に説明した記録状態と同じであるので重複を避けるためにここではその説明を省略する。
【００６９】
図４に示すように、本実施形態における映像録画再生装置１０００は、データ領域３５００（２）に記録するファイル１のヘッダ１（２１００（１））とファイル２のヘッダ２（２１００（２））及びファイル３のヘッダ３（２１００（３））とを、インデックス領域３４００（２）にも追加的に記録する。
【００７０】
さらに好ましくは、本実施形態における映像録画再生装置１０００は、データ領域３５００（２）に記録する各ファイルのサムネイル、すなわち図４に示すファイル１のサムネイル１（４０００（１））とファイル２のサムネイル２（４０００（２））等とを、インデックス領域３４００（２）に記録する。
【００７１】
図４において、サムネイル１（４０００（１））はヘッダ１（２１００（１））に関連付けされその隣接したインデックス領域３４００（２）内に記録され、サムネイル２（４０００（２））はヘッダ２（２１００（２））に関連付けされその隣接したインデックス領域３４００（２）内に記録される。
【００７２】
インデックス領域３４００（２）は、磁気テープ５０を映像録画再生装置１０００に装着した場合に比較的短時間でアクセス可能な箇所に設けられており、磁気テープ５０が映像録画再生装置１０００に装着されると、データ領域３５００（２）にアクセスする前に読み出し処理がされる領域である。例えば、ＬＴＦＳ方式においては、磁気テープ５０を映像録画再生装置１０００に装着後、大凡１分以内にインデックス領域３４００（２）の情報を全て読みだすことができる。
【００７３】
また、映像録画再生装置１０００は、読み出したインデックス領域３４００（２）の各ヘッダ情報を第一キャッシュメモリ２０に記憶しておき、また当該情報を必要に応じて管理・操作画面やメニュー案内画面としてＶＧＡディスプレイ６０に表示してもよい。
【００７４】
また、ボディへ直接シークする場合には、データ領域３５００（２）において読み出し済みのヘッダ１（２１００（１））に相当するテープ領域（例えば５００キロバイト分）にはアクセスせずにスルーし、ボディ１（２２００（１））の先頭に読み取りヘッドをシークすることができる。ヘッダ１（２１００（１））に相当するテープ領域は、シーク時に読み取りヘッドをスルーすることができる任意のデータ量として、予め映像録画再生装置１０００に設定しておいてもよい。
【００７５】
これにより、映像録画再生装置１０００は、磁気テープ５０が装着されると比較的短時間で記録されたファイルのヘッダ情報とサムネイル等のファイル概要を把握することが可能となる。さらに、映像を再生する場合には、すでにヘッダが読み出されているので、直接ボディへとシークすればよく、磁気テープの早送りや巻き戻し等の不要なシーク時間が低減されることとなる。
【００７６】
また、図４から理解されるように、データ領域３５００（２）に記録される情報は従来と何ら変わらない。このため、インデックス領域３４００（２）のヘッダ情報を用いないで、従来と同様の読み出しモードとして映像録画再生装置１０００を使用することが可能である。すなわち、映像録画再生装置１０００は、従来の使用モードと、本実施形態で説明する高速読み出しモードとの２モードを読み出しモードとして備えることができる。
【００７７】
また、図４において、後発的にヘッダ１（２１００（１））の例えばメタ情報等を更新する必要が生じた場合には、映像録画再生装置１０００が、インデックス領域３４００（２）のヘッダ１（２１００（１））と、データ領域３５００（２）のヘッダ１（２１００（１））とを共に、書き換える。
【００７８】
この場合に、データ領域３５００（２）のヘッダ１（２１００（１））は、上述したように当初のオリジナルがマスクされて新たに最後尾に追記されることとなるが、これによりファイル１を読み出す場合にシーク遅延が更新前後で増大することはない。データ領域３５００（２）においては、読み出しヘッドがボディ１（２２００（１））の先頭にいけばよく最後尾に追記されたヘッダ１（２１００（１））にまでシークする必要がないからである。
【００７９】
図５は、入力された映像等を映像録画再生装置１０００がリアルタイム録画する場合の動作及び処理を概念的に説明するフロー図である。以下、図５に示す各ステップに従って順次映像録画再生装置１０００の動作及び処理を説明する。
【００８０】
（ステップＳ５１０）
映像録画再生装置１０００のマイクロプロセッサ１０は、ビデオＩ／Ｏ７０に外部からのＶｉｄｅｏ／Ａｕｄｉｏ信号の入力があるか否かを判断する。ビデオＩ／Ｏ７０に外部からＶｉｄｅｏ／Ａｕｄｉｏ信号の入力があればステップＳ５２０へと進み、ビデオＩ／Ｏ７０に外部からＶｉｄｅｏ／Ａｕｄｉｏ信号の入力がなければステップＳ５１０で待機する。
【００８１】
（ステップＳ５２０）
ビデオＩ／Ｏ７０は、入力されたＶｉｄｅｏ／Ａｕｄｉｏ信号を順次エンコードする。また、エンコードされた映像データは、一旦第一キャッシュメモリ２０に記録されつつ、順次第二キャッシュメモリ３０に読み出されてここで一時記録されつつさらに読みだされ、ＬＴＯドライブ４０に出力される。
【００８２】
（ステップＳ５３０）
第一キャッシュメモリ２０と第二キャッシュメモリ３０とを順次介した映像データ（エンコード済み）は、ＬＴＯドライブ４０に装着された磁気テープ５０に順次記録される。この場合に、映像録画再生装置１０００は、図３（ａ）に示すように素材長を含まないダミーのヘッダ１（２１００（０））と、ボディ１（２２００（１））と、フッタ１（２３００（１））とを順次磁気テープ５０に書き込む処理を遂行する。ダミーのヘッダ１（２１００（０））は、映像の素材長を含まない仮のヘッダである。
【００８３】
これらの処理は映像入力に平行して同時進行で順次遂行され、ビデオＩ／Ｏ７０でエンコードされたコード化済み映像データから順次第一キャッシュメモリ２０と第二キャッシュメモリ３０とに転送記録され、最終的にＬＴＯドライブ４０において磁気テープ５０に記録されるものである。
【００８４】
（ステップＳ５４０）
マイクロプロセッサ１０は、入力されたＶｉｄｅｏ／Ａｕｄｉｏ信号のエンコードが全て完了したか否かを判断する。入力されたＶｉｄｅｏ／Ａｕｄｉｏ信号のエンコードが全て完了した場合にはステップＳ５５０へと進み、入力されたＶｉｄｅｏ／Ａｕｄｉｏ信号のエンコードが全て完了していない場合にはステップＳ５２０へと戻る。
【００８５】
（ステップＳ５５０）
ＬＴＯドライブ４０は、磁気テープ５０のヘッダを更新する。すなわち、ＬＴＯドライブ４０は、素材長を含む新たなヘッダ１（２１００（１））を磁気テープ５０のデータ領域３５００のフッタ１（２３００（１））の後尾に追記する。
【００８６】
（ステップＳ５６０）
さらに、ＬＴＯドライブ４０は、素材長を含む新たなヘッダ１（２１００（１））を磁気テープ５０のインデックス領域３４００に別途記録する。なお、ステップＳ５５０とステップＳ５６０とは順不動である。
【００８７】
また、同一の磁気テープ５０が継続して映像録画再生装置１０００に装着されている間は、ステップＳ５６０の処理を遂行せず、ヘッダ情報は第一キャッシュメモリ２０または第二キャッシュメモリ３０に保持してこれを使用することとしてもよい。そして、磁気テープ５０を取り出す指示が入力された場合等に、複数の映像ファイルのヘッダ情報をまとめてインデックス領域３４００に記録してから、磁気テープ５０を取り出す構成としてもよい。
【００８８】
図６は、映像録画再生装置１０００が、磁気テープ５０の映像等を再生する場合の動作及び処理を説明するフロー図である。以下、図６に示す各ステップに従って、順次映像録画再生装置１０００の映像音声再生動作及び処理を説明する。
【００８９】
（ステップＳ６１０）
マイクロプロセッサ１０は、ＬＴＯドライブ４０に磁気テープ５０が装着されているか否かを判断する。ＬＴＯドライブ４０に磁気テープ５０が装着されている場合には、ステップＳ６２０へと進み、ＬＴＯドライブ４０に磁気テープ５０が装着されていない場合にはステップＳ６１０で待機する。
【００９０】
（ステップＳ６２０）
マイクロプロセッサ１０は、ＬＴＯドライブ４０に磁気テープ５０のインデックス領域３４００に記録されている映像ファイルのヘッダ情報を全て読み込む。
【００９１】
（ステップＳ６３０）
マイクロプロセッサ１０は、ステップＳ６２０で読み込んだヘッダ情報をＶＧＡディスプレイ６０に表示させる。また、マイクロプロセッサ１０は、ステップＳ６２０で読み込んだヘッダ情報を、第一キャッシュメモリ２０または第二キャッシュメモリ３０に記憶させる。
【００９２】
この処理により、映像録画再生装置１０００は、以降の実映像を読みだす処理を遂行する場合に、データ領域３５００のヘッダ情報へアクセスする必要がなくなる。このため、仮に当該実映像のヘッダが、対応するボディと物理的に大きく乖離したテープ領域に記録されている場合においても、乖離した２か所に各々シーク動作する必要がなく対応するボディへのシーク動作のみでよいので、再生待ち時間が低減されることとなる。
【００９３】
（ステップＳ６４０）
マイクロプロセッサ１０は、再生するべき映像の指示がＶＧＡディスプレイ６０等を介して操作入力されたか否かを判断する。再生するべき映像の指示がＶＧＡディスプレイ６０等を介して操作入力された場合にはステップＳ６５０へと進み、再生するべき映像の指示がＶＧＡディスプレイ６０等を介して操作入力されていない場合にはステップＳ６４０で待機する。
【００９４】
（ステップＳ６５０）
マイクロプロセッサ１０は、ＬＴＯドライブ４０に対して再生するべき映像のボディが記録されているデータ領域に、読み取りヘッドをシークさせる。この場合に、ステップＳ６２０で予め読みだした当該映像のヘッダには、ファイルポインタが付与されているので、マイクロプロセッサ１０は、ファイルポインタが指示する対応ファイルのアドレス（データ領域内の当該映像のヘッダ箇所）からヘッダの容量相当分を相殺した箇所へ読み出しヘッドをシークさせる。
【００９５】
（ステップＳ６６０）
ＬＴＯドライブ４０は、磁気テープ５０のデータ領域に記録されている読み出し映像に対応するボディとフッタとを読み出す。読み出したボディとフッタとは、ビデオＩ／Ｏ７０に伝送される。ビデオＩ／Ｏ７０においては、読み出す映像のヘッダ情報が第一キャッシュメモリ２０等から取得できるので、読み出したボディとフッタと併せて欠落のない完全なファイルが処理できることとなる。
【００９６】
（ステップＳ６７０）
ビデオＩ／Ｏ７０は、読み出したボディとフッタとをＶｉｄｅｏ／Ａｕｄｉｏ信号へとデコードする。この場合に、ビデオＩ／Ｏ７０は、第一キャッシュメモリ２０等に記録されている当該映像のヘッダも読み出してＶｉｄｅｏ／Ａｕｄｉｏ信号へとデコードする。
【００９７】
（ステップＳ６８０）
映像録画再生装置１０００は、デコードした映像データをＶｉｄｅｏ／Ａｕｄｉｏ信号として出力する。
【００９８】
これにより、映像録画再生装置１０００は、ＬＴＯ磁気テープのデータ領域内において、ヘッダが記録される領域とボディ等が記録される領域との乖離如何に拘わらず、再生読み出しに際し常にシーク動作を低減することができシーク待ち時間を低減できる。
【００９９】
また、テープ上で連続的に記録されていないヘッダ、ボディ、フッタを読みだす場合でも、早送りや巻き戻し等を繰り返してシーク時間を浪費する必要がなく、映像録画再生装置１０００は、スムースにヘッダ、ボディ、フッタの各情報を順次取得可能となる。
【０１００】
また、特に迅速な映像読み出し処理を要しない場合には従来のような低速読み出しモードとし、シーク時間を低減した迅速な読み出し処理を遂行したい場合には高速読み出しモードとする２モード対応の映像録画再生装置１０００を実現できる。
【０１０１】
本実施形態の映像録画再生装置１０００は映像を記録する場合に、リニア磁気テープの２か所に読み出し可能な態様でヘッダを記録し、うち一か所は他の映像のヘッダと共にインデックス領域にまとめて記録する。好ましくは、ヘッダに関連付けされたサムネイル画像もインデックス領域に記録するものである。また、サムネイル画像とともに、またはサムネイル画像に代えて、映像の内容を説明する文字情報であるメタデータファイルをインデックス領域に記録してもよい。
【０１０２】
上述した映像録画再生装置１０００は、実施形態での説明に限定されることはなく、自明な範囲でその構成や動作・処理を変更することができる。また、本発明は、ＬＴＯやＭＸＦファイルやＬＴＦＳに限定されることはなく、ランダムアクセスを許容しない磁気テープ全般に広く適用してもよい。
【産業上の利用可能性】
【０１０３】
本発明は、リニア磁気テープを記録媒体とする映像録画再生装置を典型例とするコンピュータのバックアップメディアへの記録再生装置に幅広く適用でき、放送業界やマルティメディア業界やアーカイブマーケット等において広く応用展開し利用できる。
【符号の説明】
【０１０４】
１０・・ＶＧＡディスプレイ、２０・・第一キャッシュメモリ、３０・・第二キャッシュメモリ、４０・・ＬＴＯドライブ、５０・・磁気テープ、６０・・ＶＧＡディスプレイ、７０・・ビデオＩ／Ｏ、１０００・・映像録画再生装置。
【図１】
2012065087.tif 000003
【図２】
2012065087.tif 000004
【図３】
2012065087.tif 000005
【図４】
2012065087.tif 000006
【図５】
2012065087.tif 000007
【図６】
2012065087.tif 000008